(57)【要約】【課題】設置にあたり占有領域の省スペース化を図った緑化装置及びそれを用いた建物緑化構造を提供する。【解決手段】緑化装置１０は、立設された複数の支柱２０と、立設された複数の支柱２０の上部に跨って設けられた横材２５と、横材２５から側方に張り出すように設けられ、伸長する植物５０を支持するための支持体４０と、横材２５の上に設置され、植物５０を植えるための栽培槽３０と、を備える。【選択図】  図１
2010178694.tif 000002
【特許請求の範囲】
【請求項１】
屋外を植物で緑化する装置であって、
設置対象場所に略直線状に並ぶように立設された複数の支柱と、
前記立設された複数の支柱の上部に跨って設けられた横材と、前記横材から側方に張り出すように設けられ、植物を支持するための支持体と、
前記横材の上に設置され、前記支持体に支持させる前記植物を植えるための栽培槽と、を備えることを特徴とする緑化装置。
【請求項２】
前記支柱と前記横材と前記支持体とからなる構成として、カーポート又はサイクルポートの骨組みを用いたことを特徴とする請求項１に記載の緑化装置。
【請求項３】
建物を植物で緑化した構造であって、
建物の屋上の縁部に沿って複数の支柱を立設し、
前記立設した複数の支柱の上部を跨ぐように横材を設け、
前記横材から側方に張り出すように、植物を支持するための支持体を設け、
前記横材の上に植物が植えられた栽培槽を設置して、前記栽培槽から前記植物を前記支持体に支持させるように伸長させたことを特徴とする建物緑化構造。
【請求項４】
前記栽培槽から前記植物を前記支持体に支持させるとともに、前記建物の屋上の外側に垂下させて、前記建物の壁を緑化したことを特徴とする建物緑化構造。
【発明の詳細な説明】
【技術分野】
【０００１】
本発明は、屋外を植物で緑化する緑化装置及びそれを用いた建物緑化構造に係り、特に、設置にあたり占有領域の省スペース化を図った技術に関する。
【背景技術】
【０００２】
近年、ヒートアイランド化の抑制や大気浄化などの環境対策のために、都心部における緑化量の増加の必要性が高まっており、これら要求に対する緑化技術の一つとして、従来より建物の屋上を緑化する技術が提案されている。
【０００３】
例えば、特許文献１には、屋根の上に複数の支柱を立てるとともに、それら支柱間に骨組材を架け渡し、当該骨組材に、設置対象場所である屋根の上に複数設置したプランターに植えたつる性植物を絡ませて植栽を施した緑化装置が開示されている。
【先行技術文献】
【特許文献】
【０００４】
【特許文献１】特開２００２−３８６６３号公報
【発明の概要】
【発明が解決しようとする課題】
【０００５】
しかしながら、特許文献１では、緑化装置の支柱の配置等については、考慮されてない。そして、植物を繁茂させるために用いられるパーゴラや藤棚等の支柱は、一般的に設置対象場所に面的な配置で立設されるが、このような配置で支柱を立設すると、支柱により設置対象場所の空間的な利用用途が制限されるおそれがある。
また、特許文献１では、設置対象場所にプランターを直接設置していることから、さらに屋根上のスペースが占有されるおそれがあった。
本発明は、上記の点に鑑みてなされたものであり、設置にあたり占有領域の省スペース化を図った緑化装置及びそれを用いた建物緑化構造を提供することを目的とする。
【課題を解決するための手段】
【０００６】
上記の目的を達成するため、本発明は、屋外を植物で緑化する装置であって、
設置対象場所に略直線状に並ぶように立設された複数の支柱と、
前記立設された複数の支柱の上部に跨って設けられた横材と、前記横材から側方に張り出すように設けられ、植物を支持するための支持体と、
前記横材の上に設置され、前記支持体に支持させる前記植物を植えるための栽培槽と、を備えることを特徴とする。
【０００７】
本発明に係る緑化装置によれば、横材は立設された複数の支柱の上部に跨って設けられ、支持体は横材から側方に設けられ、栽培槽は横材の上に設置されるので、本緑化装置の構成のうち、設置対象場所に直接設置されてスペースを占有するのは、立設された複数の支柱のみである。したがって、特許文献１に記載される緑化装置のように、設置対象場所にプランターが直接設置されているのと比べて、占有領域が小さい。
また、植物を繁茂させるために一般的に用いられるパーゴラや藤棚等のように、設置対象場所に支柱が面的に配置しておらず、略直線状に並ぶように配置されているので、さらに占有領域の省スペース化を図ることができ、設置対象場所の利用用途の拡大に寄与する。
【０００８】
また、本発明において、前記支柱と前記横材と前記支持体とからなる構成として、カーポート又はサイクルポートの骨組みを用いたこととしてもよい。
本構成によれば、支柱と横材と支持体とからなる構成に、市販のカーポート又はサイクルポートの骨組みを利用することにより、施工時間を短縮できるとともに施工コストも低減することができる。
【０００９】
また、本発明は、建物を植物で緑化した構造であって、建物の屋上の縁部に沿って複数の支柱を立設し、前記立設した複数の支柱の上部を跨ぐように横材を設け、前記横材から側方に張り出すように、植物を支持するための支持体を設け、前記横材の上に植物が植えられた栽培槽を設置して、前記栽培槽から前記植物を前記支持体に支持させるように伸長させたことを特徴とする。
【００１０】
本発明に係る建物緑化構造によれば、建物の屋上を緑化できるとともに、屋上に直接設置されてスペースを占有するのは、屋上の縁部に沿って立設された複数の支柱のみであることから、屋上にはほとんど障害物が存在しないので、屋上のスペースを有効に活用できる。
【００１１】
また、本発明において、前記栽培槽から前記植物を前記支持体に支持させるとともに、前記建物の屋上の外側に垂下させて、前記建物の壁を緑化したこととしてもよい。本構成によれば、建物の屋上だけでなく壁面も緑化することができる。
【発明の効果】
【００１２】
本発明によれば、設置にあたり占有領域の省スペース化を図った緑化装置及びそれを用いた建物緑化構造を提供できる。
【図面の簡単な説明】
【００１３】
【図１】本実施形態に係る緑化装置１０の外観を示す斜視図である。
【図２】図２は、栽培槽３０の詳細な構造を示し、同図（ａ）は断面図、同図（ｂ）は同図（ａ）のＡ−Ａ断面図である。
【図３】ビル７０の屋上に本実施形態に係る緑化装置１０を設置した例である。
【図４】支柱２０から２つの支持体４０が夫々反対方向に設けられた緑化装置１００の側面図である。
【発明を実施するための形態】
【００１４】
以下、本発明の好ましい実施形態について図面に基づき詳細に説明する。
【００１５】
図１は、本実施形態に係る緑化装置１０の外観を示す斜視図である。
【００１６】
図１に示すように、緑化装置１０は、立設された複数の支柱２０と、立設された複数の支柱２０の上部に跨って設けられた横材２５と、横材２５から側方に張り出すように設けられ、伸長する植物５０を支持するための支持体４０と、横材２５の上に設置され、支持体４０に支持させる植物５０を植えるための栽培槽３０と、を備える。
【００１７】
支柱２０は、一般的に植物を支持するのに用いられるパーゴラや藤棚等の支柱のように、設置対象場所に面的に配置されるものとは異なり、略直線状に並ぶように立設されている。
支柱２０としては、その上部に設けられる横材２５、栽培槽３０、及び支持体４０を、支持可能な強度及び寸法を有するものであれば、金属、木製等の材質は問わない。
支柱２０の底部には、例えば、十分な面積の板材２２を設け、設置対象場所の面に、アンカーボルト２４等でしっかり固定することが好ましい。
横材２５も同様に、栽培槽３０及び支持体４０を、支持可能な強度及び寸法であれば材質は問わない。
また、支柱２０の本数及び支柱２０間の間隔も緑化領域又は屋上領域によってその設計を変更してもよい。
【００１８】
支持体４０は、例えば、その一端が横材２５に固定され、該横材２５から側方に張り出すように設けられる片持ち梁４２と、片持ち梁４２と直交する方向に片持ち梁４２間を跨って接続するつなぎ梁４４とから構成される。
支持体４０も、支柱２０と同様に、栽培槽３０から伸長する植物５０を支持可能な強度及び寸法を有するものであれば、その材質は問わない。また、片持ち梁４２又はつなぎ梁４４の本数及びこれら梁間の間隔も緑化領域の設計によって変更してもよい。
【００１９】
支持体４０の上面には、例えば金網やネットなどの網材４６を設けてもよい。これにより、各梁間にも植物５０を伸長させて緑化面積を増大させることができる。
なお、このような支持体４０又は網材４６に、栽培槽３０から伸長した植物５０が固定されていない場合には、ワイヤや縄等で植物５０のつるなどを適宜留めておくことが好ましい。
【００２０】
上記支柱２０と横材２５と支持体４０とからなる構成として、カーポート又はサイクルポートの骨組みを用いることができる。ただし、本緑化装置１０は屋外に設置するので、積雪や強風などによる荷重にその構造が十分耐久しうるようにするため、カーポートの部材のうち骨組みのみを使用する。なお、骨組みのみを使用することにより、骨組みの下部から植物５０の手入れもできるようになる。
【００２１】
植物５０としては、常緑性を有し、生長とともに屋根全体に伸長するような、例えばつる性植物を用いることが好ましい。具体的には、耐暑性及び耐寒性に優れるヘデラ類のへリックス、カナリエンシス、コルシカ等を用いることができる。このようなつる性植物は、栽培槽３０から片持ち梁４２や網材４６に自然につたって伸長していくので、支持体４０全体に容易に緑化することができる。
【００２２】
植物５０の栽培方法には、例えば、管理が容易な水耕栽培を採用する。この場合、栽培槽３０には、例えば、その内部に植物５０の根を固定するための培地３５が充填され、外部から培養液６０を栽培槽３０内に供給するための供給管３７と、栽培槽３０内から余剰な培養液６０を排出するための排液管３８とが接続され、供給管３７と排液管３８との他端は培養液６０を循環させるユニット（図示しない）に接続される。
【００２３】
図２は、栽培槽３０の詳細な構造を示し、同図（ａ）は断面図、同図（ｂ）は同図（ａ）のＡ−Ａ断面図である。
【００２４】
図２に示すように、栽培槽３０としては、例えば、上面３１が取り外し可能である角筒形の硬質塩化ビニル製の管を用いることができる。かかる栽培槽３０を用いることで、栽培槽３０内への植物５０の定植の際に、該上面３１を取り外すことにより植物５０の定植を容易に行える。
【００２５】
栽培槽３０内には、植物５０が、例えばペーパーポット３２に植え込まれた状態で定植されている。かかる植物５０は、水耕育苗に適した環境下（例えば、水耕育苗専用の施設等）で、同ペーパーポット３２内で水耕育苗され、その後培地３５に定植されたものである。
【００２６】
このようにして植物５０を定植することにより、植物５０が水耕育苗時に水耕栽培に適した根を形成するので、培地３５に定植後も植物５０は水耕環境に順応して生長することができる。また、ペーパーポット３２に植え込んだまま培地３５に定植できるので、移設設置作業が簡単であり、また、定植時に根を傷めてしまうこともない。
【００２７】
また、栽培槽３０の側面３４には、栽培槽３０内に植え込まれた植物５０を外部に引き出すための切り欠き３３が長手方向に複数形成されている。これにより、栽培槽３０の内部への雨水・種等の異物の進入や日光の入射経路が側面３４の切り欠き３３のみに制限されるので、培養液６０の肥料成分が希釈されたり、栽培槽３０内の培地３５や培養液６０中に雑草若しくは病原菌が繁殖したり、アオコが発生したりするのを抑制することができる。
【００２８】
栽培槽３０の内部には、強風や自重等により植物５０が栽培槽３０から脱落するのを防止するため、例えば、栽培槽３０の長手方向に伸張し植物５０のつるを固定する縄を結束するための固定用ワイヤ３９が設けられている。
【００２９】
培地３５としては、水耕栽培を実施するため、保水性及び排水性の良好な無機質土が好ましく、例えば、ゼオライトと日向軽石を混合したものを用いている。
【００３０】
ここで、ゼオライトは、栽培槽３０内に供給される培養液６０中の肥料成分を吸着するとともに、吸着した肥料成分を放出する性質を有する。ゼオライトによる肥料成分の吸着と放出は、培養液６０中の肥料成分の量とゼオライトに吸着した肥料成分の量との不均衡によって生じる。すなわち、培養液６０中の肥料成分の量の方がゼオライトに吸着した肥料成分の量よりも多い場合、肥料成分がゼオライトに吸着され、一方、培養液６０中の肥料成分の量の方がゼオライトに吸着した肥料成分の量よりも少ない場合、ゼオライトから肥料成分が放出される。
【００３１】
したがって、あらかじめ充分に肥料成分を吸着させたゼオライトを栽培槽３０内に充填した場合は、栽培槽３０内の肥料成分の量が減少したときに、肥料成分がゼオライトから放出されて栽培槽３０内の培養液６０中に補給される。
【００３２】
一方、肥料成分が充分に吸着されていないゼオライトを栽培槽３０内に充填した場合（例えば、培養液６０の循環の初期段階）には、栽培槽３０内に供給された培養液６０に含まれる肥料成分は植物５０に行き渡る前にゼオライトに吸着されてしまうことにより、植物５０の生育に影響を与えるおそれがある。
【００３３】
そこで、培地３５として、ゼオライトのみを充填するのではなく、日向軽石を混合しているのである。日向軽石は、培養液６０中の肥料成分を吸着する性質を有さないので、栽培槽３０内に供給された培養液６０のうち日向軽石に浸透した培養液６０の肥料成分は適度に植物５０に供給される。また、ゼオライトに浸透した培養液６０の肥料成分は吸着され、培養液６０中の肥料成分が減少した際に、ゼオライトから放出されて植物５０に供給されることになる。
また、軽石はゼオライトと比べて比重が軽いので、栽培槽３０全体の軽量化が図れる。
【００３４】
なお、ゼオライトと混合する石として、日向軽石の代わりに珪藻土を焼き固めたイソライトを用いてもよい。
【００３５】
栽培槽３０内に充填された培地３５上には、供給管３７に接続し、供給管３７から供給された培養液６０を培地３５の表面に滴下するドリップチューブ３６が敷設されている。
【００３６】
ドリップチューブ３６の滴下口は、ドリップチューブ３６の内部に所定の水圧がかかると滴下がなされるようになっており、滴下量は、培養液６０を循環させるユニットにより供給管３７内の圧力調節を行うことにより調整できるようになっている。
【００３７】
なお、本実施形態では、植物５０を水耕栽培する場合の栽培槽３０の構成を説明したが、特に水耕栽培に限定するものではない。
単に、栽培槽３０内に培地３５を充填して定期的に水や培養液６０を手作業で供給する構成としてもよい。
【００３８】
次に、栽培装置の施工例について説明する。
【００３９】
図３は、ビル７０の屋上に本実施形態に係る緑化装置１０を設置した例である。
【００４０】
図３に示すように、緑化装置１０の複数の支柱２０を、ビル７０の屋上の縁部に沿って立設するように設置している。
このように緑化装置１０の支柱２０を設置することによって、建物の屋上を緑化できるとともに、屋上において占有するスペースは屋上の縁部に沿って立設された複数の支柱２０のみであることから、屋上領域にはほとんど障害物が存在しない。
【００４１】
また、同図に示すように、植物５０を支持体４０に支持させるとともに、建物の屋上の外側に垂下させて、建物の壁を緑化してもよい。これにより、ビル７０の屋上面だけでなく壁面も緑化することができる。
【００４２】
以上説明したように、本実施形態に係る緑化装置１０は、設置対象場所に略直線状に並ぶように立設された複数の支柱２０と、立設された複数の支柱２０の上部に跨って設けられた横材２５と、横材２５から側方に張り出すように設けられ、伸長する植物５０を支持するための支持体４０と、横材２５の上に設置され、支持体４０に支持させる植物５０を植えるための栽培槽３０と、を備える。
【００４３】
したがって、本緑化装置１０によれば、横材２５は立設された複数の支柱２０の上部に跨って設けられ、支持体４０は横材２５から側方に設けられ、栽培槽３０は横材２５の上に設置されるので、本緑化装置１０の構成のうち、設置対象場所に直接設置されてスペースを占有するのは、立設された複数の支柱２０のみである。したがって、特許文献１に記載される緑化装置のように、設置対象場所にプランターが直接設置されているのと比べて、占有領域が小さい。
また、植物５０を繁茂させるために一般的に用いられるパーゴラや藤棚等のように、設置対象場所に支柱２０が面的に配置しておらず、略直線状に並ぶように配置されているので、さらに占有領域の省スペース化を図ることができ、設置対象場所の利用用途の拡大に寄与する。
【００４４】
また、支柱２０と横材２５と支持体４０とからなる構成として、カーポート又はサイクルポートの骨組みを用いることにより、施工時間を短縮できるとともに施工コストも低減することができる。
【００４５】
また、本実施形態に係るビル７０を緑化した構造は、ビル７０の屋上の縁部に沿って複数の支柱２０を立設し、立設した複数の支柱２０の上部を跨ぐように横材２５を設け、横材２５から側方に張り出すように支持体４０を設け、横材２５の上に、植物５０が植えられた栽培槽３０を設置して、栽培槽３０から植物５０を支持体４０に支持させるように伸長させている。
これにより、ビル７０の屋上を緑化できるとともに、屋上に直接設置されてスペースを占有するのは、屋上の縁部に沿って立設された複数の支柱２０のみであることから、屋上領域にはほとんど障害物が存在しないので、屋上のスペースを有効に活用できる。
【００４６】
また、ビル７０の屋上の縁部に沿って立設された支柱２０に架設された栽培槽３０から植物５０を支持体４０に支持させるとともに、ビル７０の屋上の外側に垂下させて、ビル７０の壁を緑化することにより、ビル７０の屋上だけでなく壁面も緑化することができる。
【００４７】
なお、本実施形態に係る緑化装置１０では、支持体４０を支柱２０から略水平方向のうち一方向に張り出すように設けていたが、これに限らず、２つの支持体４０を支柱２０から夫々反対方向に張り出すように設けてもよい。
【００４８】
図４は、支柱２０から２つの支持体４０が夫々反対方向に設けられた緑化装置１００の側面図である。
かかる緑化装置１００によれば、設置の際の占有スペースは支柱２０のみであるので緑化装置１０と同様だが、緑化面積を支持体４０が１つ分増大することができる。
また、２つの支持体４０は、支柱２０の夫々反対方向に張り出すように設けられていることから、両支持体４０から支柱２０に作用する荷重は支柱２０の両側から均等にかかるので、構造的にも安定している。
【符号の説明】
【００４９】
１０，１００  緑化装置
２０  支柱
２２  板材
２４  アンカーボルト
２５  横材
３０  栽培槽
３１  上面
３２  ペーパーポット
３３  切り欠き
３４  側面
３５  培地
３６  ドリップチューブ
３７  供給管
３８  排液管
３９  固定用ワイヤ
４０  支持体
４２  片持ち梁
４４  つなぎ梁
４６  網材
５０  植物
６０  培養液
７０  ビル
【図１】
2010178694.tif 000003
【図２】
2010178694.tif 000004
【図３】
2010178694.tif 000005
【図４】
2010178694.tif 000006